(57)【要約】【課題】  チャプターに分かれた映像の前後で大きな変化があると、視聴者は視聴中の急激な変化に追従できず苦痛を覚える。視聴中の急激な映像変化による視聴者に与える負担を低減することを目的とする。【解決手段】  入力された動画像データを動画像として再生する動画像再生手段と、動画像再生手段が再生した動画像を出力する出力手段と、動画像再生手段からの信号に基づき、動画像再生手段が再生する動画像がスキップする指示がされたことを検出する指示検出手段と、検出手段により検出された指示の実行前に、出力手段に対し出力する画像の輝度を一時的に低下させるように制御する輝度制御手段とを備えた動画像再生装置とする。【選択図】  図２
2009016896.tif 000002
【特許請求の範囲】
【請求項１】
入力された動画像データを動画像として再生する動画像再生手段と、
前記動画像再生手段が再生した動画像を出力する出力手段と、
前記動画像再生手段からの信号に基づき、前記動画像再生手段が再生する動画像がスキップする指示がされたことを検出する指示検出手段と、
前記検出手段により検出された指示の実行前に、前記出力手段に対し出力する画像の輝度を一時的に低下させるように制御する輝度制御手段と
を備えたことを特徴とする動画像再生装置。
【請求項２】
前記動画像再生手段は、前記指示がされたとき当該指示の内容を動画像と重ね合わせて再生することを特徴とする請求項１に記載の動画像再生装置。
【請求項３】
前記動画像再生手段からの信号に基づき、前記動画像再生手段が再生する動画像のセグメントが切り替わることを検出するセグメント検出手段をさらに備え、
前記輝度制御手段は、前記指示検出手段の検出結果に基づく制御に加え、前記セグメント検出手段の検出結果に基づき該セグメントが再生中は該セグメントについてあらかじめ定めた輝度になるよう、前記出力手段に対し出力する画像の輝度を制御することを特徴とする請求項１に記載の動画像再生装置。
【請求項４】
入力された動画像データを動画像として再生する動画像再生手段と、
前記動画像再生手段が再生した動画像を出力する出力手段と、
前記動画像再生手段が再生する動画像の所定の範囲を検出する検出手段と、
前記検出手段により検出された範囲を除き、前記出力手段に対し出力する画像の輝度を低下させるように制御する輝度制御手段と
を備えたことを特徴とする動画像再生装置。
【請求項５】
前記出力手段は、前記輝度制御手段の制御に応じて、出力する動画像の音声レベルを制御することを特徴とする、請求項１乃至４に記載の動画像再生装置。
【請求項６】
入力された動画像データを動画像として再生し、
該動画像の再生位置をスキップするよう指示があったことを検出した場合、
該指示を再生する動画像に重ね合わせて再生したのち、該指示を実行前に再生する動画像の輝度を一時的に低下させ、
該指示の実行後は低下させる前の輝度にして再生を続ける
ことを特徴とする動画像再生時の輝度制御方法。
【請求項７】
入力された動画像データを動画像として再生し、
再生の過程で該動画像のセグメントが切り替わることを検出した場合、
セグメントの切り替えの前後で再生する動画像の輝度を一時的に低下させるとともに、該セグメントの再生中は該セグメントについてあらかじめ定めた輝度で再生を続ける
ことを特徴とする動画像再生時の輝度制御方法。
【請求項８】
入力された動画像データを動画像として再生し、
該動画像の画面内に所定の情報を含む範囲が存在するか否かを検出し、
該範囲が検出された場合、
検出された範囲を除き、再生する動画像の輝度を低下させるように再生する
ことを特徴とする動画像再生時の輝度制御方法。
【発明の詳細な説明】
【技術分野】
【０００１】
本発明は、動画像情報を動画像として再生する装置に関し、特に再生する画像の輝度の制御に関する。
【背景技術】
【０００２】
放送番組やパッケージで配布される動画像映像で、次のシチュエーションに進んだときにいままでのシーンと不連続な動画像がいきなり表示されることがある。こういった境界では、画面を注視する視聴者は今見ていた画面とは別の画面がいきなり表示され、苦痛を感じる場合がある。さらにストリームで提供される画像データを特定の時間位置で区切ったチャプターと呼ばれる単位がある。このようなシチュエーションが変わるタイミング（シーンチェンジ）でチャプターが切られることも多い。
【０００３】
静止画像や動画像などの画面の切り替わり目に、バックライトの輝度を点灯状態から消灯状態にフェードイン、フェードアウトする携帯端末装置が提案されている（特許文献１を参照）。
【特許文献１】特開２００６−８４５７７号公報
【発明の開示】
【発明が解決しようとする課題】
【０００４】
チャプターに分かれた映像の前後で大きな変化があると、視聴者は視聴中の急激な変化に追従できず苦痛を覚える。また、時間的な表示の切り替わり以外に一つの画像内でも一部で急激な変化が起こる場合もあり、同様に苦痛に感じることがある。
【０００５】
本発明は上記問題に鑑みてなされたもので、視聴中の急激な映像変化による視聴者に与える負担を低減することを目的とする。
【課題を解決するための手段】
【０００６】
本発明にかかる動画像再生装置とすれば、
入力された動画像データを動画像として再生する動画像再生手段と、前記動画像再生手段が再生した動画像を出力する出力手段と、前記動画像再生手段からの信号に基づき、前記動画像再生手段が再生する動画像がスキップする指示がされたことを検出する指示検出手段と、前記検出手段により検出された指示の実行前に、前記出力手段に対し出力する画像の輝度を一時的に低下させるように制御する輝度制御手段とを備えたことを特徴とする動画像再生装置が提供される。
【０００７】
また、
入力された動画像データを動画像として再生する動画像再生手段と、前記動画像再生手段が再生した動画像を出力する出力手段と、前記動画像再生手段が再生する動画像の所定の範囲を検出する検出手段と、前記検出手段により検出された範囲を除き、前記出力手段に対し出力する画像の輝度を低下させるように制御する輝度制御手段とを備えたことを特徴とする動画像再生装置が提供される。
【０００８】
本発明にかかる輝度制御方法は、
入力された動画像データを動画像として再生し、該動画像の再生位置をスキップするよう指示があったことを検出した場合、該指示を再生する動画像に重ね合わせて再生したのち、該指示を実行前に再生する動画像の輝度を一時的に低下させ、該指示の実行後は低下させる前の輝度にして再生を続けることを特徴とする。
【０００９】
また、
入力された動画像データを動画像として再生し、該動画像の画面内に所定の情報を含む範囲が存在するか否かを検出し、該範囲が検出された場合、検出された範囲を除き、再生する動画像の輝度を低下させるように再生することを特徴とする。
【発明の効果】
【００１０】
時間的、平面的に映像が大きく変化する場面における視聴中の負担を低減することができる。
【発明を実施するための最良の形態】
【００１１】
（本実施形態）
図１は、本実施形態にかかる動画像再生装置１００の構成図の一例を示す図である。図１には、映像記録部１０１、動画像生成部１０２、表示部１０３、境界検出部１０４及び輝度制御部１０５が示されている。
【００１２】
動画像再生装置１００は、たとえばビデオレコーダのような、テレビ番組として放送された映像情報をデジタル情報に符号化した動画像情報を再生する機能を備えた機器を指す。
【００１３】
映像記録部１０１は、動画像情報を記憶する装置で、たとえば読み書き可能な高速アクセスと大容量化が容易な磁気ディスク装置などが考えられる。あるいはＤＶＤ(Digital Versatile Disk)のような流通可能なメディアとそのドライブ装置の組み合わせでも良い。本実施形態では動画像再生装置１００に内蔵された装置を想定しているが必ずしも内蔵している必要は無く、ネットワークなどで通信可能な別の機器にあってもかまわない。
【００１４】
動画像再生部１０２は、映像記録部１０１に記憶された動画像情報を映像情報に復号化することで符号化前の動画像を再生する機能を有する。動画像情報を再生する際、その画像情報がチャプターによっていくつかのセグメントに分割されている場合には、そのセグメントを認識し選択再生することができる。あるいは早送りやスキップ、チャンネル切り替えなど動画像が不連続になる場合や、動画像再生装置１００の操作メニューを表示させる場合など、本来の動画像の映像とのつながりが不連続になるような再生も可能である。
【００１５】
表示部１０３は、たとえばＬＣＤ(Liquid Crystal Display)で構成されたディスプレイ装置を備え、動画像再生部１０２が復号化した動画像を画面上に表示する機能を有する。
【００１６】
検出部１０４は、動画像生成部１０２が復号した動画像情報が不連続になる時点を検出する。たとえば動画像情報に含まれるチャプターの検出や画面切換えを伴う操作（時間軸の境界検出）を行う場合、あるいは動画像情報の一時点の画像内の部分領域を所定のルールに従って検出（画面内の境界検出）する機能を有する。
【００１７】
輝度制御部１０５は、表示部１０３に対し本来の動画像情報に含まれる輝度情報を変更して表示するよう制御する機能を有する。
【００１８】
図２は、本実施形態における輝度制御タイミングの一例を示す図である。
【００１９】
この図では、たとえば、動画像再生装置１００の入力切替、指定時刻やチャプターへのスキップ（ジャンプ）、表示画面の切換え、Webブラウザ等の内蔵アプリケーションの起動操作があった際の例を示している。
【００２０】
初期の状態では、表示部１０３は通常輝度（１．０）で動画像を表示している。
【００２１】
時刻２００の時点でチャプタースキップなどの操作指示があったとすると、それを受けて時刻２０１にその操作に関連する情報を重ねて表示する。たとえば、チャプタースキップの指示であれば次のチャプターにジャンプすることを表示し、チャンネル切換えであればどのチャンネルに切り替えるかを事前に視聴者に通知する。
【００２２】
検出部１０４がその操作によって画面が切り替わることを検出すると、輝度制御部１０５にこれを指示するとともに表示部１０３に対し、時間２０２に渡って徐々に輝度を落として行くように指示する。これはあまりにも短時間に暗転させてしまうと、逆に視聴者には画面の変化が急激に感じられる場合があるからである。
【００２３】
最低輝度（０．０）になったところで、時刻２００に指示のあった、画面表示の不連続を伴う操作を行う。輝度が抑えてあるために、視聴者はほとんど画面の変化を感じることはない。
【００２４】
次に輝度制御部１０５は時間２０３に渡って、表示部１０３が表示する画像の輝度を徐々に最低輝度から通常輝度に変化させるように指示する。輝度が上がって通常輝度になった時刻２０４の時点ではすでに画面の変化は終了していることになる。
【００２５】
このように構成すると、時間的に映像が大きく変化する場面における視聴中の負担を低減することができるのである。
【００２６】
さらに、視聴者にとって画像と音声は合一なものと考えられることから、これら輝度制御に比例して音声レベルを制御するようにしても良い。この場合にはより自然に画面変化時の負担を低減できる。
【００２７】
（第１の変形例）
輝度制御部１０５が行なう表示部１０３の輝度制御を次のようにすることが可能である。
【００２８】
図３は、本実施形態における輝度制御タイミングの別の一例を示す図である。チャプターにより複数のセグメントに分かれた動画コンテンツがあり、それぞれがセグメント３００ａ、３００ｂ、３００ｃ、３００ｄ、３００ｅのように表されているものとする。
【００２９】
このとき、各セグメントの内容が重要なものとあまり重要でない区別が付けられる場合がある。具体的には、セグメント３００ａ、３００ｃ、３００ｅが、番組本編の合間に挿入されたＣＭのような場合である。ビデオレコーダのような機器は本編を目的に録画するものであって、視聴者にとってＣＭはあまり重要でないと考えられる。
【００３０】
図中に示す輝度Ａと輝度Ｂについて説明する。輝度Ａに示す輝度制御タイミングは検出部１０４がチャプターの設定された位置を検出し、そこで一旦最低輝度に落とした後にセグメントを切り替え、その後通常輝度に戻す制御である。本実施形態を示す図２の場合に当てはめると、ここのチャプターの検出を操作指示の代わりに用いるのと同様である。チャプターが打たれた場所はシーンの切り替わりを示すことが多いので、必然的に大きく画面が変化する場合が多いと考えられる。
【００３１】
輝度Ｂは、ＣＭのようにあまり重要でないセグメントが再生されている間は輝度を低く抑え、それ以外のセグメントの再生時には通常輝度を保つように制御される。図中、ＣＭの部分であるセグメント３００ａ、３００ｃ、３００ｅの再生中は輝度レベルが低く抑えられる。
【００３２】
輝度制御部１０５は表示部１０３への輝度制御を、輝度Ａと輝度Ｂの両方を考慮して決定する。
【００３３】
このように構成すると、時間的に映像が大きく変化する場面における視聴中の負担を低減するとともに、その視聴者にとって積極的に視聴する必要のない動画像部分を自然に選別して視聴することが可能となる。
【００３４】
（第２の変形例）
輝度制御部１０５が行なう表示部１０３の輝度制御を次のようにすることが可能である。
【００３５】
図４は、本実施形態の変形例にかかる動画像再生装置１００の別の実施態様を示す図である。この図はスポーツの中継映像を表示しており、輝度制御部１０５が通常輝度で表示するように指示する領域４００と、この領域４００以外は輝度を落として表示すように指示する領域の様子を示している。
【００３６】
本実施形態では検出部１０４が画面内のどの部分を通常輝度とするかを決定し、その範囲の境界を設定する（画面内の境界検出）。検出部１０４は設定した境界に基づいて、その境界の内外で輝度を変えるように輝度制御部１０５に指示する。
【００３７】
境界の設定のルールとしては、たとえば動画像映像に対し顔認識処理を施し、顔が表示されている範囲を通常輝度で表示する方法が考えられる。スキー中継のような場合には、高速移動するスキーヤーを画像処理により検出しスキーヤーの部分は通常輝度、それ以外の雪原部分は輝度を落とすといった処理が考えられる。この場合には雪による照り返しを和らげて画面全体として見やすい画面を視聴者に提供することができる。
【００３８】
このように構成すると、平面的に映像が大きく変化しても注視する動画像部分を自然に選別して視聴することが可能となる。
【００３９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４０】
【図１】本実施形態にかかる動画像再生装置の構成図の一例を示す図である。
【図２】本実施形態における輝度制御タイミングの一例を示す図である。
【図３】本実施形態における輝度制御タイミングの別の一例を示す図である。
【図４】本実施形態の変形例にかかる動画像再生装置の別の実施態様を示す図である。
【符号の説明】
【００４１】
１００・・・動画像再生装置、１０１・・・映像記録部、１０２・・・動画像生成部、１０３・・・表示部、１０４・・・検出部、１０５・・・輝度制御部、３００・・・セグメント
【図１】
2009016896.tif 000003
【図２】
2009016896.tif 000004
【図３】
2009016896.tif 000005
【図４】
2009016896.tif 000006